(57)【特許請求の範囲】
【請求項１】
鍵孔を有し、この鍵孔を塞ぐ弁体が裏面側に揺動可能に取り付けられた、地下構造物の開口を閉塞するための地下構造物用蓋において、
前記弁体の下端部に、前記弁体が前記鍵孔を開放する方向へ揺動するとき、前記弁体と接触地面との間に作用する摩擦力を軽減する摩擦力軽減手段を設け、この摩擦力軽減手段を回転ローラとしたことを特徴とする地下構造物用蓋。
【請求項２】
地下構造物用蓋への前記弁体の取り付け位置よりも前記鍵孔側の前記弁体の下端部に前記摩擦力軽減手段としての前記回転ローラを設けたことを特徴とする請求項１記載の地下構造物用蓋。
【請求項３】
前記摩擦力軽減手段としての前記回転ローラよりも前記鍵孔側の前記弁体の下端部に、地下構造物用蓋を引きずりやすくする摺動部を設けたことを特徴とする請求項１又は請求項２記載の地下構造物用蓋。
【発明の詳細な説明】
【０００１】
【発明の属する技術分野】
本発明は、水道の仕切弁のような地下埋設物を収容している構造物あるいはマンホール構造物などの地下構造物の開口を閉塞するための地下構造物用蓋に関する。
【０００２】
【従来の技術】
地下構造物用蓋としては外周部に鍵孔（バール孔）を形成したものが広く用いられていて、この地下構造物用蓋を用いる場合には、地下構造物の開口部に嵌め込まれている蓋の鍵孔に鉤棒（バール）の先端を挿入して引っかけ、この蓋を持ち上げて開けることにより地下構造物の開口を開放することができる。鍵孔は単純な貫通孔又は切欠き状のものである場合もあるが、雨水などが地下構造物内に侵入しないように袋状、あるいは有底状に形成されたものも用いられていて、さらには簡単に蓋が開けられるのを防ぐために、そして鍵孔が土砂等により埋められてしまうのを防止するために、弁蓋を有する弁体を用い、弁蓋が貫通孔として又は切欠き状に形成された鍵孔を塞ぐようにこの弁体を地下構造物用蓋の裏面側に取り付けた構造のものも採用されている。弁蓋は鍵孔を塞ぐように付勢され、通常時には鍵孔あるいは鍵孔周辺などに押し付けられていなければならないが、弁蓋の付勢は、弁体に弁蓋よりも下側に延びる回動部を形成し、弁蓋の後端部あるいは回動部の上端部分を地下構造物用蓋の裏面側に回動可能に取り付け、この回動部をスプリングで押すことにより、または回動部にウェイトを設けることにより、あるいはスプリングとウェイトとを併用することにより行われる。鍵孔を閉塞している弁蓋をスプリングやウェイトの付勢力に抗して押し下げることにより鍵孔を開放し、鉤棒の先端を挿入することができる。回動部はまた、地下構造物用蓋が地下構造物内の圧力の異常上昇などにより大きく浮き上がらないようにロック手段を備える場合もあり、弁蓋よりもかなり下側に延びているのが普通である。
【０００３】
【発明が解決しようとする課題】
ところで、地下構造物用蓋を移動させて地下構造物を開口させるにあたっては、地下構造物用蓋は鉤棒で持ち上げられた後に裏面側を下にして開口部付近の路上に置かれることとなり、弁体の回動部下端は路面と接触する。鉤棒を鍵孔に差し込んだまま作業を行うことは適当でないので、鉤棒は一旦鍵孔から抜き取られるが、地下構造物用蓋を開口部に戻す場合には再び鉤棒を鍵孔に差し込み、引きずるようにして移動させる。地下構造物用蓋が鉤棒を抜き取った状態のままの場合には鉤棒をそのまま差し込むことができるが、鉤棒を抜き取った後に手や足で蓋を多少移動させることも多く、このような場合には弁体が揺動して弁蓋が鍵孔を閉塞する状態となってしまうことがある。特に、回動部下端が安定性を欠く形状に形成されている場合には蓋を揺らしただけでも弁体が揺動して弁蓋が鍵孔を閉塞してしまうし、弁蓋が鍵孔を閉塞するように付勢するスプリング等のバネ手段を取り付けている場合には、バネ手段の付勢力も加わってきわめて簡単に鍵孔を閉塞する方向に弁体が揺動してしまう。弁蓋が鍵孔を閉塞している場合には弁蓋を押し下げるように鉤棒を差し込まなければならないが、弁体の回動部は地下構造物用の蓋本体の重量が加わって路面に押し付けられているので、蓋本体の重量が大きい場合には弁蓋を簡単に押し下げることはできない。したがって、地下構造物用蓋を他の作業員に多少持ち上げてもらい、回動部と路面とが接触しない状態にしてから鉤棒を鍵孔に挿入しているが、不安定な状態で鉤棒を挿入しなければならないために作業性がよくないし、作業員一人で鉤棒を鍵孔に挿入して地下構造物用蓋を引きずりながら地下構造物の開口部まで戻すのが好ましい場合もある。
【０００４】
また、地下構造物用蓋は地下構造物に接続される蝶番を備えている場合があり、この場合には蝶番を中心として鍵孔側を上方に回動させることにより蓋を開けることができるのであるが、蓋の重量が大きい場合には蝶番を中心として路面等に沿って鉤棒で蓋を引っ張って旋回させることにより開蓋が行われるのが普通である。旋回による開蓋を行うと弁体の回動部下端がやはり路面と接触することとなり、その結果やはり、蓋を引っ張って逆方向に旋回させ、開口部に戻す場合の鉤棒の挿入作業が煩雑となる。
【０００５】
そこで、本発明は弁体の回動部が路面等に接触する状態でおかれていても、簡単に鍵孔に鉤棒を挿入することのできる地下構造物用蓋の提供を目的とする。
【０００６】
【課題を解決するための手段】
この目的を達成するための本発明の地下構造物用蓋は、鍵孔を有し、この鍵孔を塞ぐ弁体が裏面側に揺動可能に取り付けられた、地下構造物の開口を閉塞するための地下構造物用蓋において、前記弁体の下端部に、前記弁体が前記鍵孔を開放する方向へ揺動するとき、前記弁体と接触地面との間に作用する摩擦力を軽減する摩擦力軽減手段を設けたことを基本的構成とするものである。本発明は裏面側を下にして路面上など（地面）に置いたときに、弁体下端が路面などに接触する型の地下構造物用蓋、より詳しくは弁体下端が蓋本体の重量を受けて路面などに押し付けられる型の地下構造物用蓋に関する。
【０００７】
弁体が鍵孔を開放する方向へ揺動するときには、弁体に作用する接触地面からの摩擦抵抗は小さい。したがって、地下構造物用蓋が路面上などに弁体の下端がこの路面等と接触する状態で置かれ、しかも弁体が鍵孔を閉塞していても、鍵孔に臨んでいる弁体部分を鉤棒の先端などで下側に押すだけで弁体は簡単に揺動して鍵孔が開放され、鉤棒をこの鍵孔内に差し込むことができる。弁体は弁蓋及びこの弁蓋から下側に延びる回動部から構成されているのが普通であり、弁蓋が上下方向に揺動できるように、すなわち地下構造物用の蓋本体の上面と直交する面に沿って揺動できるように、あるいは弁蓋の先端が上下に移動するように回動部はこの蓋本体の裏面側に回動可能に取り付けられる。弁蓋は上昇して鍵孔を塞ぎ、下降して鍵孔を開放する。鍵孔は蓋本体の外周縁部を切り欠くようにして形成される場合が多いが、外周部あるいはより内側に設けられた上面から下面まで貫通する貫通孔の場合もある。
【０００８】
弁体が鍵孔を閉塞する状態から開放する方向へ揺動するときには、取り付け位置よりも鍵孔側の弁体下端部が最下端部になるのが普通であり、したがって取り付け位置よりも鍵孔側の弁体下端部が地面と接触する。そこで、摩擦力軽減手段は地下構造物用蓋への弁体の取り付け位置よりも鍵孔側の弁体下端部に設けるべきである。
【０００９】
地下構造物用蓋を地下構造物の開口部に戻す場合には鉤棒を鍵孔に差し込んだ状態で引きずるようにして移動させるので、弁体の下端部は地面を擦りながら移動する。したがって、鉤棒を鍵孔に差し込んだときに地面と接触する弁体の下端部にこの移動を行いやすくするような、すなわち地下構造物用蓋を引きずりやすくする摺動部を構成しておくことが好ましい。摺動部は摩擦力軽減手段よりも鍵孔側に構成され、鉤棒を鍵孔に差し込んだときに地面と接触することとなる弁体の下端部に設けられる。この摺動部は地下構造物用蓋を引きずるときに弁体の下端部と接触地面との間に作用する摩擦力を軽減するように構成される。
【００１０】
上述の発明の基本的構成はより具体的には、外周部に鍵孔が形成された蓋本体と、弁蓋及びこの弁蓋から下側に延びる回動部から構成され、この回動部の上端部分又は前記弁蓋の後端部が前記蓋本体の裏面側に回動可能に取り付けられている弁体と、を備え、前記弁蓋が上下方向に揺動して前記鍵孔を開閉する、地下構造物の開口を閉塞するための地下構造物用蓋であって、前記弁体の前記回動部の下端部分にはこの回動部が地面と接触した状態で回動するときの摩擦力軽減手段が構成されていて、この摩擦力軽減手段は、前記弁蓋が前記鍵孔を開放する方向へ揺動するときに、前記弁体の前記回動部と接触地面との間に作用する摩擦力を軽減するように構成されている地下構造物用蓋、と表現することができる。そして、摩擦力軽減手段は弁体の回動部の下端部分に構成され、この摩擦力軽減手段は回動部の上端部分又は弁蓋の後端部の蓋本体裏面側への取り付け位置よりも鍵孔側に設けられるのが普通であり、また摩擦力軽減手段よりも鍵孔側の回動部の下端部分には摺動部が構成されている場合が多い。摩擦力軽減手段を簡単に構成するには回動部の下端面を円弧状面に形成すればよい。円弧状面は回動部の回動方向に湾曲する。より具体的には、弁蓋が鍵孔を塞いだ状態での回動部の最下端前後を、あるいは少なくとも最下端から前方を、すなわち開蓋方向に回動部を回動させたときに最下端となる範囲を円弧状面として形成する。
【００１１】
本発明では、回動部に回転ローラを取り付けることによって効果的な摩擦力軽減手段を構成している。回転ローラは回動部下面よりも下側に突出するように取り付けられるが、より具体的には弁蓋が鍵孔を塞いだ状態のときにローラの最下端が路面等と接触するように取り付け、かつ鉤棒の差し込みが可能になるまで回動部が回動する間、ローラが路面等と接触し続けるようにローラの突出量を設計するのが普通である。好ましくは、鉤棒の差し込みが可能になるまで回動部が回動したときには、回転ローラより前方の回動部下面が路面等と接触することとなるように構成する。この技術は次の発明に包含される。
（１）外周部に鍵孔が形成された蓋本体と、弁蓋及びこの弁蓋から下側に延びる回動部から構成され、この回動部の上端部分又は前記弁蓋の後端部が前記蓋本体の裏面側に回動可能に取り付けられている弁体と、を備え、前記弁蓋が上下方向に揺動して前記鍵孔を開閉する、地下構造物の開口を閉塞するための地下構造物用蓋であって、前記弁体の前記回動部の下端部分にはこの回動部が地面と接触した状態で回動するときの摩擦力軽減手段が構成されていて、この摩擦力軽減手段は、前記回動部下面よりも下側に突出するようにこの回動部に取り付けられた回転ローラによって構成され、この回転ローラは、前記鍵孔が塞がれた状態から鉤棒の差し込みが可能なように開放されるまで地面と接触し続けるように構成されている地下構造物用蓋。
（２）前記回転ローラは、前記鍵孔が鉤棒の差し込みが可能なように開放されたときに前記回転ローラより前方の前記回動部下面が地面と接触することとなるように構成されている（１）記載の地下構造物用蓋。
ところで、単一の回転ローラにより摩擦力軽減手段を構成することも可能であるが、単一の回転ローラを用いると蓋本体が傾きやすく、路面等と接触するのが回転ローラの左右どちらかの縁部となって十分な摩擦力軽減効果を得ることができないおそれがある。したがって、より安定した状態で回動部を回動させるためにはすくなくとも回転ローラを回動部の両側に設けることが好ましい。
【００１２】
【発明の実施の形態】
以下、本発明の実施の形態を図１乃至図６を参照して説明する。
【００１３】
図１は本発明に係る地下構造物用蓋をマンホール構造物に取り付けた状態を示す断面図である。
【００１４】
マンホール蓋１（地下構造物用蓋）の蓋本体３は、裏面側に補強リブ５が一体的に形成された薄肉の円盤状に構成され、裏面側外周部に上端が回動可能に取り付けられて揺動できるように構成された蝶番７が、蓋受枠９（マンホール構造物）の内周面に設けられた蝶番受け１１の挿入孔１３内に差し込まれてこの蓋受枠９の開口部に嵌め込まれている。蝶番７は上端部両側に支持ピン１５を有していて、この支持ピン１５が蓋本体３の裏面に一体的に形成されたブラケット１７に回動可能に支えられて取り付けられている。蓋本体３の外周部には蝶番７と反対側に切欠き状の鍵孔１９が形成されていて、蓋本体３の裏面側にはこの鍵孔１９を下側から塞ぐ弁体２１が揺動可能に取り付けられている。弁体２１は鍵孔１９を開閉する弁蓋２３と、この弁蓋２３から下側に延びる回動部２５とから構成されていて、回動部２５の上端部分両側には支持ピン２７が形成され、この支持ピン２７が蓋本体３の裏面に一体的に形成されたブラケット２９に回動可能に支えられている。図２に詳細を示すように、弁蓋２３は回動部２５の上端から水平前方に一体的に延びる弁座３１と、この弁座３１の上面に載せられたゴム製のパッキン３３と、このパッキン３３の上面に載せられたパッキン押さえ３５とから構成され、弁座３１とパッキン押さえ３５とは、通常はパッキン３３を貫通するボルト（図示せず）によって締め付けられて、パッキン３３を固定して挟み込んでいる（図２は弁体２１の斜視図）。パッキン押さえ３５は鍵孔１９よりも平面の大きさが多少小さく形成され、パッキン３３は鍵孔１９よりも平面の大きさが多少大きく形成されていて、弁蓋２３はパッキン押さえ３５が鍵孔１９内に嵌り込み、パッキン３３が鍵孔１９の下面側周囲に当接することによってこの鍵孔１９を閉塞するが、パッキン３３は必ずしも鍵孔１９を密封的に閉塞するとは限らず、ガス抜き通路が形成されるような形状に構成されていることも多い。なお、図１中３７は蝶番７の中間部に形成された、蝶番受け１１と係合して蓋本体３の浮き上がりを防止する鉤状突起、３９は蝶番７の下端部に形成された抜け止め突起であり、この抜け止め突起３９が蝶番受け１１に当接するまで蓋本体３を持ち上げることができる。
【００１５】
図２に詳細を示すように、回動部２５は比較的幅が狭く形成され、蓋受枠９に設けられた係止部４１に係合する鉤状突起４３を先端に一体的に有しているが、後端部両側に外側へ大きく延びるウェイト４５が一体的に形成されている（一方側のウェイト４５のみ図示）。ウェイト４５は弁蓋２３が鍵孔１９を閉塞する状態においても支持ピン２７よりも後側に位置するように形成されているので、言い換えると弁体２１あるいは弁蓋２３の揺動中心よりも後側に位置しているので、弁蓋２３は常に鍵孔１９を閉塞するようにこのウェイト４５によって前方に付勢されている。回動部２５のウェイト４５よりも前側の部分には大きなくぼみ４７が形成されてこの前側の部分は軽く構成されているので、ウェイト４５による付勢効果は高められているが、弁蓋２３をより強く鍵孔１９部分に押し付けるために、または傾斜地でウェイト４５の付勢力が弱まったり、付勢力が逆方向に作用するなどして弁蓋２３が開きやすくなることを防止するために、回動部２５の後面（ウェイト４５の後端面）と蓋本体３の裏面との間にはスプリング等の付勢手段（本実施例ではダブルトーションスプリング）４９が配置されている。ダブルトーションスプリング４９の連続側一端部は、一対のウェイト４５の間の後面にねじ込まれた係止用ビスに引っかけられてこの係止用ビスの頭部５１により挟み付けられて固定され、一対の他端部は蓋本体３の裏面に一体的に形成された一対のスプリング押さえ片５３間に挟み込まれて位置決めされていて、コイル部は弁体２１のウェイト４５よりも上側の後面に形成された湾曲状くぼみ５５内に収められている。弁蓋２３が鍵孔１９を閉塞する状態において、回動部２５の下面５７は中間部分５９が水平状に、前側部分６１が前方に向かって緩やかに上昇するように、そして後側部分６３（一対のウェイト４５の間の下面）が後側に向かって多少急に上昇するように形成されている。
【００１６】
回動部２５の中央部分下側には外側に延びる左右一対の突起軸６５が一体的に形成されていて、この突起軸６５にはそれぞれ回動部２５の下面５７の中間部分５９よりも下側に突出するように回転ローラ６７が回転自在に取り付けられている。
【００１７】
マンホール蓋１を開けて蓋受枠９の開口を開放するには、鍵孔１９に鉤棒６９の先端部を挿入して弁蓋２３を押し下げて鉤棒６９の先端を鍵孔１９の裏面側周辺に引っかけ（図３参照：図３は弁蓋２３を開けた状態を示す断面図）、やはり蓋本体３の外周部に形成されている２つの袋状のこじり孔７１（図４参照）にそれぞれ鉤棒（図示せず）の先端部を挿入して引っかけて蓋本体３全体を蓋受枠９内から引き上げる。こじり孔７１はマンホール蓋１が長期間にわたって開けられないでいたために錆の発生などにより蓋受枠９に食い込んだ状態となっていて開きにくくなっている場合に蓋本体３をこじるために用いられるものであるが、蓋本体３の引き上げ時に鍵孔１９とともに用いる場合もある。そして、蝶番受け１１の挿入孔１３内に差し込まれている蝶番７を中心として蓋本体３を路面に沿って旋回させる（図４参照：図４はマンホール蓋１を開ける場合を説明する平面図）。マンホール蓋１を閉じる場合には蓋本体３の鍵孔１９に鉤棒６９の先端部を挿入する。鉤棒６９の先端部はＴ字状に形成されていて、弁蓋２３を押し下げてから側方に延びる先端の両引っかけ部７２を鍵孔１９の裏面側周辺に引っかけることとなるが、弁蓋２３が鍵孔１９を閉塞していても（この場合には回転ローラ６７が路面と接触している）、図５に示すように鉤棒６９の先端部で弁蓋２３の上面を下側に向かって押すと（図５ａ）、回転ローラ６７の回転により回動部２５が開蓋方向に、すなわち後方に向かって回動し、弁蓋２３は下側に向かって揺動して鉤棒６９を挿入できるように鍵孔１９を開放する（図５ｂ）。そして、鉤棒６９を９０度回転させて先端部に形成されている側方に延びる両引っかけ部７２を鍵孔１９の裏面側周辺に引っかける（図５ｃ：図５は路面に接触した状態の弁体２１の揺動状態を説明する断面図）。この状態では回動部２５の下面５７の前側部分６１（より具体的には前側部分６１の後半箇所）が路面と接触しているので、鉤棒６９で蓋本体３を引きずって旋回させても回転ローラ６７を傷めるおそれは少ないが、開蓋時と同様にこじり孔７１（図４参照）に鍵棒の先端を引っかけて蓋本体３を多少持ち上げるようにして移動させることも可能である。開蓋状態を安定したものとするために前側部分６１の後半箇所は直線状に形成されている（図２も参照）。左右方向の安定性をも考慮するときは、前側部分６１の後半箇所を平面状に形成すべきである。なお、鉤棒を挿入可能な鍵孔を有し、この鍵孔を塞ぐ弁体が裏面側に揺動可能に取り付けられた、地下構造物の開口を閉塞するための地下構造物用蓋において、前記弁体の下端部に、前記弁体が揺動して前記鍵孔に前記鉤棒を係止させることが可能となったときにこの弁体の揺動を拘束する揺動拘束手段としての係止手段又は摩擦手段（より具体的には路面等と平行状態で接触する直線状部又は平面状部）を形成した地下構造物用蓋、を用いれば、摩擦力軽減手段をあえて設けなくてもよい場合がある。地下構造物用蓋を移動させて地下構造物を開口させ、当該蓋を路面等の地面に置いたとき、鍵孔から鉤棒を抜き取ってしまっても弁体の揺動が拘束されて弁体は簡単には鍵孔を閉塞するように揺動しないので、地下構造物の開口の閉塞時に鉤棒を鍵孔にそのまま挿入できるからである。下面５７の前側部分６１の左右両縁箇所には、旋回を円滑に行わせるための丸味７４（図６及び図１参照：図６は回動部２５の下面５７の前側部分６１の形状を示すための断面図）が形成されているが、すなわち回動部２５の下面５７の前側部分６１は摺動部を構成しているが、この丸味７４の大きさは通常施される面取りの２倍程度とすることが好ましい。また、旋回を円滑に行わせるために、回転ローラ６７を垂直軸又はほぼ垂直な軸を中心として回転できるように取り付けてキャスタを構成することも可能である。弁蓋２３の押し下げは弁蓋２３の上面外端部を足で踏むことによって行ってもよい。また、マンホール蓋１が簡単に開けられてしまうことを効果的に防止するために、鍵孔１９の周壁に嵌合溝を巡らし、この嵌合溝に鉤棒６９の先端の両引っかけ部７２を嵌合させることによってのみ引っかけ部７２を蓋本体３に引っかけることができるように構成してもよい。
【００１８】
図７は別の構成の弁体及び路面に接触した状態のこの弁体の揺動状態を参考形態として説明する断面図である。
【００１９】
別の構成の弁体７３は弁体２１の回動部下側の構成を変更したものである。弁体７３の回動部７５は下面７７の中間部分７９が支持ピン２７を中心とする円弧状面に形成されている。したがって、蓋本体３を路面上においたときにやはり弁蓋２３が鍵孔１９を閉塞していても（この場合には中間部分７９が路面と接触している）、図７ａに示すように鍵棒６９の先端部で弁蓋２３の上面を下側に向かって押すと、回動部７５が開蓋方向に、すなわち後方に向かって円滑に回転し、弁蓋２３は下側に向かって揺動して鍵棒６９を挿入できるように鍵孔１９を開放する（図７ｂ）。回動部７５の下面７７の前側部分８１は回動部２５の下面５７の前側部分６１と同様の形状を有して摺動部を構成している。
【００２０】
【発明の効果】
以上説明したように、本発明の地下構造物用蓋を用いれば、蓋が路面等に置かれていても弁体を簡単に揺動させて鉤棒を鍵孔内に挿入することができる。
【図面の簡単な説明】
【図１】  本発明に係る地下構造物用蓋をマンホール構造物に取り付けた状態を示す断面図である。
【図２】  弁体の斜視図である。
【図３】  弁蓋を開けた状態を示す断面図である。
【図４】  マンホール蓋を開ける場合を説明する平面図である。
【図５】  路面に接触した状態の弁体の揺動状態を説明する断面図である。
【図６】  回動部の下面の前側部の形状を示すための断面図である。
【図７】  別の構成の弁体及び路面に接触した状態のこの弁体の揺動状態を参考形態として説明する断面図である。
【符号の説明】
１            マンホール蓋（地下構造物用蓋）
９            蓋受枠（マンホール構造物）
１９          鍵孔
２１          弁体
６１          回動部下面の前側部分（摺動部）
６７          回転ローラ（摩擦力軽減手段）
【図１】
0003752041.tif 000002
【図２】
0003752041.tif 000003
【図３】
0003752041.tif 000004
【図４】
0003752041.tif 000005
【図５】
0003752041.tif 000006
【図６】
0003752041.tif 000007
【図７】
0003752041.tif 000008